(57)【要約】圧力計測システム(１０)が提供される。システム(１０)は、プロセス流体の圧力に応じて電気的特性が変化する圧力センサ(５０)を有し、プロセス流体内まで延設される圧力検知プローブ(１６)を含む。無機絶縁ケーブル(１８)は近位端および遠位端を有する金属製シースを備え、近位端は圧力検知プローブに取り付けられる。ミネラル絶縁ケーブルは金属製シース(３０)内に延設され、電気絶縁性ドライ無機物(５８)によって相互に離間される複数の導体(３４,３６)を含む。金属製シースの近位端はプロセス流体ベゼルと液密にシールされるように構成されている。
2016532083.tif 000002
【特許請求の範囲】
【請求項１】
プロセス流体内まで延設可能であり、プロセス流体の圧力に応じて電気的特性が変化する圧力センサを備えた圧力検知アッセンブリと、
圧力検知アッセンブリに接続される遠位端および近位端を備えた金属製シース、および当該金属製シース内で電気絶縁性の乾燥無機物により相互に離間するように延設されて前記圧力センサと電気的に結合される複数の導電部を有する無機絶縁ケーブルとを具備し、
前記金属製シースの近位端がプロセス流体ベゼルに対して液密に結合されるように構成されたことを特徴とする圧力計測システム。
【請求項２】
自信を貫通するアパーチャを有するプロセスフランジを具備し、前記金属製シースの近位端が前記プロセスフランジに液密に接続され、前記プロセスフランジがプロセス流体ベゼルに対して液密に接続されるように構成されたことを特徴とする請求項１に記載の圧力計測システム。
【請求項３】
前記プロセス流体の圧力に応じて変化する特性が容量であることを特徴とする請求項１に記載の圧力計測システム。
【請求項４】
前記圧力センサが単結晶材料から構成されたことを特徴とする請求項３に記載の圧力計測システム。
【請求項５】
前記圧力センサがセンサ取付部材内でアパーチャにロウ付けされ、前記ロウ付けジョイントが第１のプロセス流体シールを形成し、前記無機絶縁ケーブルが第２のプロセス流体シールを形成することを特徴とする請求項１に記載の圧力計測システム。
【請求項６】
前記センサ取付部材に溶接され、前記無機絶縁ケーブルの金属製シースに溶接されたスリーブを更に含むことを特徴とする請求項５の圧力計測システム。
【請求項７】
前記スリーブが前記無機絶縁ケーブルの前記圧力センサへの電気的接続を阻止することを特徴とする請求項６の圧力計測システム。
【請求項８】
前記スリーブが絶縁性のドライ無機物で満たされたことを特徴とする請求項６の圧力計測システム。
【請求項９】
前記単結晶材料がサファイヤであることを特徴とする請求項４の圧力計測システム。
【請求項１０】
前記圧力センサアッセンブリが、前記無機絶縁ケーブルと電気的に結合された感温素子を含むことを特徴とする請求項１の圧力計測システム。
【請求項１１】
前記金属製シースがステンレスで構成されたことを特徴とする請求項１の圧力計測システム。
【請求項１２】
前記金属製シースの内径が一定であることを特徴とする請求項１の圧力計測システム。
【請求項１３】
前記金属製シースの内径が、その遠位端から近位端に向かって減少することを特徴とする請求項１の圧力計測システム。
【請求項１４】
前記無機物が酸化マグネシウムであることを特徴とする請求項１の圧力計測システム。
【請求項１５】
前記圧力センサを保護するために前記圧力センサアッセンブリに取り付けられたスクリーンを更に含むことを特徴とする請求項１の圧力計測システム。
【請求項１６】
前記圧力センサアッセンブリに取り付けられた孔開き終端キャップを更に具備したことを特徴とする請求項１の圧力計測システム。
【請求項１７】
前記圧力センサを覆う絶縁流体充填システムを更に具備し、前記絶縁流体充填システムは、プロセス圧力を圧力センサへ伝達するが圧力センサをプロセス流体から切り離すことを特徴とする請求項１の圧力計測システム。
【請求項１８】
前記絶縁流体充填システムが複数のアネロイド箱を含むことを特徴とする請求項１７の圧力計測システム。
【請求項１９】
前記絶縁流体充填システムがInconel（登録商標）で形成されたことを特徴とする請求項１７の圧力計測システム。
【請求項２０】
前記無機絶縁ケーブルに接続された第２の圧力センサアッセンブリを更に具備したことを特徴とする請求項１の圧力計測システム。
【請求項２１】
前記無機絶縁ケーブルの径が略０.５インチ以下であることを特徴とする請求項２０の圧力計測システム。
【請求項２２】
無機絶縁ケーブルの長さを提供し、
前記無機絶縁ケーブル内の複数の導電物にアクセスするために当該無機絶縁ケーブルの一部を除去し、
複数の導電性パッドを有する圧力センサを提供し、
前記無機絶縁ケーブルの各導電物を前記圧力センサの各導電性パッドに電気的にそれぞれ接続して内部接続領域を形成し、
前記内部接続領域の周囲にスリーブを位置決めし、
前記スリーブを前記無機絶縁ケーブルの金属製シースに取り付け、
センサ取付部材をスリーブの端部に位置決めし、前記センサ取付部材を前記スリーブに取り付け、
前記圧力センサを前記センサ取付部材にロウ付けすることを特徴とする圧力計測システムの製造方法。
【請求項２３】
前記スリーブにドライ無機物パウダを充填することを含むことを特徴とする請求項２２の圧力計測システムの製造方法。
【請求項２４】
プロセスフランジのアパーチャに前記無機絶縁ケーブルを通し、当該無機絶縁ケーブルシースを前記プロセスプラン時に取り付けることを更に含むことを特徴とする請求項２２の圧力計測システムの製造方法。
【請求項２５】
前記圧力センサの近傍にスクリーンを取り付けることを更に含むことを特徴とする請求項２２の圧力計測システムの製造方法。
【請求項２６】
前記圧力センサに露出される絶縁流体システムを提供し、前記絶縁流体充填システムを絶縁流体で満たすことをさらに含むことを特徴とする請求項２２の圧力計測システムの製造方法。
【請求項２７】
前記絶縁流体充填システムを覆う孔開き終端キャップを取り付けることをさらに含むことを特徴とする請求項２６の圧力計測システムの製造方法。
【請求項２８】
前記無機絶縁ケーブルの近位端をプロセス流体ベゼルに対して液密に取り付けることをさらに含むことを特徴とする請求項２２の圧力計測システムの製造方法。
【発明の詳細な説明】
【技術分野】
【０００１】
本発明は、圧力計測システムおよびその製造方法に関する。
【背景技術】
【０００２】
産業プロセス制御システムは、流体などを製造、輸送するための産業プロセスを開始または制御するために用いられる。このようなシステムでは、温度、圧力あるいは流量などの"プロセス変数"を計測することが一般的に重要である。プロセス制御トランスミッタは、そのようなプロセス変数を計測し、計測結果に関連する情報を中央制御ルームのような中央位置へ送信する。
【０００３】
プロセス変数トランスミッタの一形態として、プロセス流体の圧力を計測し、その計測結果に関連する出力を供給する圧力トランスミッタがある。その出力は、プロセス流体の圧力、流量、プロセス流量レベルあるいは他の計測された圧力から導き出せるプロセス変数である。圧力トランスミッタは、圧力の計測結果に関連する情報を中央制御ルームへ送信するように構成されている。このような送信は、典型的には２線式プロセス制御ループにより行われるが、他の通信技術もしばしば利用される。
【０００４】
一般的に、圧力は圧力変数トランスミッタに接続されて各種のプロセス結合によりプロセス流体に結合されるセンサにより検知される。多くの例で、圧力センサはプロセス流体と、絶縁流体を介してあるいは直に接触することで当該プロセス流体と流体的に結合される。プロセス流体の圧力は、圧力センサに対して物理的な変形をもたらし、これに関連する容量や抵抗などの電気的な変化を圧力センサに生じさせる。
【発明の概要】
【発明が解決しようとする課題】
【０００５】
多くの産業上の圧力計測への応用において圧力バリアが必要とされている。圧力バリアは、プラント作業員の安全を確実にするためにプロセス流体圧力を含む機械式構造である。このように、圧力バリアはプロセス流体圧力計測システムにとって重要な装備である。安全かつ堅牢なシステムを提供するために、いくつかの応用は第１の圧力バリアが機能しなくなったときでもプラント作業員の安全を保障する冗長な圧力バリアを必要とする。したがって、第１の圧力バリア（例えば隔離ダイヤフラム）が機能しなくなっても、プロセス流体は依然として第２のバリア（例えばガラス/金属ヘッダ）内に含まれる。
【課題を解決するための手段】
【０００６】
本発明により圧力計測システムが提供される。システムは、プロセス流体内まで延長可能でプロセス流体圧によって電気特徴が変化する圧力センサを具備する圧力検知プローブを含む。無機絶縁ケーブルは近位端および遠位端を有する金属製シースを備え、その近位端は圧力検知プローブに取り付けられる。無機絶縁ケーブルは金属製シース内に延設され、電気絶縁性のドライ無機物によって相互に離間される複数の導体を含む。金属製シースの近位端はプロセス流体ベゼルと液密に取り付けられるように設計されている。
【発明の効果】
【０００７】
本発明によれば、以下のような効果が達成される。
【０００８】
(1) MIケーブルが圧力計測システム内で第２のシールとして用いられるので、設計変更が非常に容易であり、かつ低コストで非常に耐用性のある構造を提供できる。
【０００９】
(2) MIケーブル／センサアセンブリの直径が比較的小さくでき、その結果、材料の削減が実現されるので、海中への応用のように高価な材料を要求される応用でも比較的小さなコスト上昇で達成できる。さらに、このような小型化により狭いエリアでの使用が可能になる。
【００１０】
(3) 絶縁流体充填構造により絶縁流体の熱容量が与えられるので、センサ内に露出するいかなる温度センサも、熱過渡に対する減衰応答特性を有するようになる。
【図面の簡単な説明】
【００１１】
【図１】本発明の一実施形態に係るMIケーブルを使用する圧力検知プローブの概略図である。
【図２】本発明の一実施形態に係るMIケーブルを使用する圧力検知プローブの概略図である。
【図３】本発明の一実施形態に係る圧力検知プローブの圧力センサアッセンブリの断面図である。
【図４】本発明の一実施形態に係る圧力検知プローブの製造方法を示したフロー図である。
【図５】本発明の他の実施形態に係る圧力検知プローブの圧力センサアッセンブリの断面図である。
【図６】本発明の実施形態に係る図５の圧力検知プローブの製造方法を示したフロー図である。
【発明を実施するための形態】
【００１２】
圧力バリアは色々な形をとることができる。たとえば、プロセス隔離ダイヤフラムは主要な圧力バリアとして一般に良く用いられる。その上、遠隔シールキャピラリシステムは効果的な第２のバリアであり得る。ガラスあるいはセラミック製のヘッダは、有益な圧力バリアを提供するけれども効果的な電気接続を許容する。最後に、圧力センサ自体が圧力を含み、圧力バリアとして用いられるように設計されることが有り得る。前述のように、これらがプロセス流体の健全性を確実にするので、圧力バリアはプロセス流体圧力の計測において非常に重要である。しかしながら、圧力バリアはいくつかの解決すべき技術課題を生じさせる。そのような課題には、経費、複雑さ、サイズ、信頼性および法令の遵守が含まれる。
【００１３】
本発明の一実施形態によれば、無機絶縁（MI）ケーブルが圧力計測システム内で第２のシールとして用いられる。これは、設計変更が非常に容易で低コストな第２のシールを提供するためのMIケーブルの技術に影響を与える。たとえば、MIケーブルの製造技術は成熟しており、低コストで非常に耐用性のある構造を提供できる。MIケーブルを生産するために、一つ以上のワイヤが金属チューブの内部に吊るされる。ワイヤはドライセラミック粉（例えば、酸化マグネシウム）によって覆われる。それから、全体的なアッセンブリは、その直径を小さく（そして、長さを長くする）ためにローラーにより押し潰される。MIケーブルには７本以上の導体がしばしばあり、ある製造方法によれば１９本以上の導体を含めることも可能である。MIケーブルは耐用性が高く、非常に高温度の環境下でも動作する。テスト結果によれば、MIケーブルは４０barの圧力環境でも使用可能であり、製品仕様書にはMIケーブルは少なくとも１０,０００psiの圧力でも使用し続けることができることが記されている。
【００１４】
図１は、本発明の一実施形態に係るMIケーブルを使用する圧力検知プローブの概略図である。プロセス圧力計測システム１０は、金属製のフランジ１４に結合される電子回路区画１２を含む。フランジ１４はシステム１０をプロセス流体の導孔または貯水池に取り付けるのを容易にするための複数のボルト孔１５（図２に示される）を含む。圧力センサアセンブリ１６は、MIケーブル１８により電子回路区画１２と電気的に結合され、MIケーブル１８はまた、圧力センサアセンブリ１６を物理的に支持する。電子回路区画１２は、アッセンブリ１６内に配置されている１ないし複数のセンサの電気的特性を計測する回路を含む。電子回路区画１２はまた、電気的特性の計測結果に関連する情報を、例えば４-20mA、HART（登録商標：Highway Addressable Remote Transducer）プロトコル、Foundation（登録商標）フィールドバス、例えばIEC６２５９１のような無線プロセス通信プロトコルまたは他の適宜のプロセス産業通信プロトコルにより他のデバイスへ送信する回路を、好ましくは含む。
【００１５】
図２は、本発明の一実施形態に係るMIケーブルを使用する圧力検知プローブの概略図です。図２は、電子回路区画１２が取り外された状態でのシステム１０を例示している。MIケーブル１８内で、その近位端２２から遠位端２４まで延びる複数のワイヤが各種の金属製のロッドや導体に結合される。ワイヤは電子回路区画１２内においてロッドを回路に接続することを容易にする。金属製ロッドは相互に絶縁され、またその周囲の金属製シースからも、例えばドライ酸化マグネシウム（MgO）のバウダのような絶縁性無機物によって絶縁される。MIケーブルの生産技術ではMIケーブル長を簡単に変えられる。さらに、様々な長さのMIケーブルの提供を容易にするために、長いMIケーブルはプローブ製造プロセスにおいて簡単に切断できる。MIケーブルは１メートルの長さでも満足な動作を提供するかもしれないと考えられている。MIケーブル１８の金属製シース３０（図３を参照）は、参照番号２０においてフランジ１４に溶接される。参照番号２０は、MIケーブル１８をコンテナやパイプのようなプロセス流体ベゼルにシールするあらゆる種類のシールを意味する。このように、ケーブル１８の近位端はフランジ１４あるいはプロセス流体ベゼルに直接シールされるシール端を提供する。実際、シース３０は高いプロセス圧力を拒絶するだけでなく、フランジ１４にシース３０を溶接することを容易にするために、（既知のMIケーブルとの比較で）極めて厚くなるかもしれない。図２に示されるように、MIケーブル１８の遠位端２４はセンサアセンブリ１６のスリーブ２６に結合される。スリーブ２６は、MIケーブル１８と少なくとも１つのセンサアッセンブリ１６との相互接続を収容する。金属スクリーン２８は、センサアッセンブリ１６へのプロセス流体の接触を許容しながらセンサを破損から保護するために、好ましくはスリーブ２６に溶接される。
【００１６】
本発明の実施形態は、例えばサファイヤのような単結晶で作られる静電容量ベースの圧力センサと共に使用されるとき特に有利である。そのような圧力センサでの使用では、第２のシールとしてのMIケーブルの使用が特に有利である。これらの圧力センサは周知であり、例えば米国特許第6,520,020号にそのようなセンサが開示されている。しかしながら、そのような圧力センサには、その完全な利用のためには固有の搭載方法や容器アレンジが要求されるといったいくつかの特徴がある。最も顕著には、圧力センサは、その材料や設計上の理由から、金属製またはセラミック製の隔離ダイヤフラムを用いる油充填絶縁システムを必要とすることなく、プロセス流体に直接接触することが好ましい。少なくともいくつかの実施形態では、油を使用することなく極めて高いプロセス温度に対して耐用性がある。さらに、センサは圧力境界壁内にロウ付けされるように設計される。それから、ロウ付けジョイントはプロセス圧力側を周囲の側から隔離する。したがって、ガラス／金属シールは不要である。圧力センサ設計の少なくともいくつかは、センサアセンブが温度および圧力を検知するために不可欠な温度センサを含んでいる。
【００１７】
図３は、本発明の一実施形態に係る圧力検知プローブの圧力センサアッセンブリの断面図である。金属製シース３０は、参照番号３２の部分でスリーブ２６に溶接される。金属製シース３０は、例えばステンレス鋼あるいはInconel（登録商標）のようなニッケル合金を含む適宜の金属により構成できる。本発明の実施形態では、採用する金属製シースの内径は一定であるが、シース３０の内径は遠位端２４から近位端２２へ向かって漸減するようにしても良い。これにより、プロセス圧力は、潜在的にシールの圧力評価生じさせるMgO充填物５２を更に固めるであろう。
【００１８】
MIケーブル１８は、近位端２２からシース３０の端部３８を超えて位置４０まで延設された複数の金属製ロッド３４，３６を含む。各ロッド３４，３６は、それぞれ導電性の内部接続部材４２，４４へ好ましくは溶接により電気的に連結され、さらに圧力センサ５０の接続パッドないしはトレース４６，４８に接続されている。各ロッド３４，３６は、金属製シース３０のみならず他の全てのロッドからも絶縁性の無機物５２により離間かつ絶縁されている。圧力センサ５０は、サファイヤのような単結晶材で形成された既知の静電容量ベースの圧力センサ、または他の適宜の圧力センサで有り得る。動作中、プロセス流体圧力は矢印５２で例示した方向へ作用してセンサ５０を圧縮する。センサ５０への加圧により、センサ５０を構成する層の間隔を変化させる変形が生じる。導電プレートは、ひずみが導電プレート間の静電容量の変化を生じさせるように、圧力センサ５０の内側表面に設けられる。この静電容量変化は、電子回路区画１２内に配置されてMIケーブル１８を介して圧力センサ５０と結合された適宜の回路により検知される。圧力センサアセンブリ１６は、プロセス流体ベゼルのようなパイプまたはタンク壁に挿入され、そこにフランジ１４により取り付けられるようにしても良い。しかしながら、プロセス流体ベゼルの開口部にケーブル１８を直接搭載することを含む他の搭載技術であっても良い。さらに、本発明の実施形態は、圧力センサアセンブリ１６が差動圧力流の応用への適用において衝動チューブ内に挿入される場合も使用できる。さらに、本発明の少なくともいくつかの実施形態における高温度への耐用性により、最小の衝動管を用いたスチーム検知環境でのセンサアセンブリの利用を可能にできる。加えて、いくつかの実施形態では、圧力センサ５０は、プロセス流体温度によって例えば抵抗変化のような電気指標を提供する温度センサを含んでも良い。
【００１９】
図３に示すように、圧力センサ５０は参照番号５６の部分でセンサ取付部材またはディスク５４に結合される。この接続は、好ましくは圧力センサ５０をディスク５４に取り付けてロウ付けによりシールする結合である。次いで、ディスク５４が参照番号５８の部分でスリーブ２６に溶接される。図３に示した構造は、いくつかの役に立つ特徴を提供する。たとえば、圧力センサ５０が壊れたり折れたりした場合でも、センサ取付ディスク５４の開口を通過するプロセス流体はMIケーブル１８を通過しないので、これによってプロセス圧力の維持が保障される。図３に示したアレンジの更なる特徴は、MIケーブル/センサアセンブリの直径が比較的小さく、それにより非常に軽いプロセスシール（フランジシール）が使用されることである。さらに、材料の削減が実現されるので、海中への応用のように高価な材料を要求される応用でも比較的小さなコスト上昇で達成できる。さらに、このような小型化により狭いエリアでの使用が可能になる。
【００２０】
図４は、本発明の一実施形態に係る圧力検知プローブの製造方法を示したフロー図である。方法１００は、MIケーブルが提供されるブロック１０２から始まります。MIケーブルの金属製シースの一部をカットバックし、そこで無機材料および導電材料を露出させる。次いで、ブロック１０４においてセンサアセンブリが対応するMIコンダクタと電気的に結合される。この工程は、各MIコンダクタに柔軟な金属製の内部電極を溶接して、それから柔軟な金属製の各内部電極センサをセンサの対応するパッドないしはトレースに溶接することを含んでも良い。ブロック１０６では、スリーブ２６のようなスリーブが金属製シースへスライド挿入されて溶接される。ブロック１０８では、スリーブに好ましくは絶縁性のドライ無機物（MgO）が充填される。次いで、ブロック１１０では、ディスク５４のようなセンサ取付ディスクがアッセンブリに装着される。センサ取付ディスクは、好ましくは圧力センサのためにスロットを備える。センサ取付ディスクは、好ましくはスリーブにレーザ溶接される。ブロック１１２では、センサがエンドキャップにロウ付けされる。最後に、ブロック１１４ではスクリーンまたは他の適当な保護部材をセンサ取付ディスクに溶接して圧力センサアッセンブリが完成する。MIケーブルの近位端は、単にフランジ（例えば、フランジ１４）の開口を通り、そこに溶接される。
【００２１】
ここまで記述した本発明の実施形態は、プロセス流体と直接接触する圧力センサを提供した。しかしながら、絶縁流体で満たされ絶縁システムを提供する実施形態によれば、いくつかのアドバンテージがまだ得られるかもしれない。たとえば、絶縁流体で満たされシステムがさらにもう一つのプロセスバリアに提供する。さらに、絶縁流体で満たされシステムは温度センサの熱過渡に対する反応を減じるである。
【００２２】
図５は、本発明の他の実施形態に係る圧力検知プローブの圧力センサアッセンブリの断面図である。図５の実施形態では、図３と同一または類似の部分には同一音符号が付してある。圧力センサ５０は、絶縁流体封止システム２０４に収容された絶縁流体２０６によって囲まれる。絶縁流体封止システム２０４は、望ましくはプロセス流体圧力に反応する円筒形のアネロイド箱を含み、それによって、プロセス流体を実際にセンサ５０に接触させることなくプロセス流体圧力をセンサ５０に伝達する。絶縁流体充填構造２０４は、プロセス流体の影響を受けるように、好ましくはInconel（登録商標）のようなニッケル合金を含む適宜の金属により構成され、抵抗スポット溶接(RSW)のような適宜の技術を用いてディスク５４に溶接される。構造２０４は故障に対して最初のバリアを提供する。圧力センサ５０のディスク５４へのロウ付け結合は第２のバリアを提供し、MIケーブル１８はプロセス流体が電子回路区画１２に侵入することを防ぐ第３のバリアを提供する。最終的な必要条件に従い、構造２０４は、波型のないもの（単純な薄い金属膜によるシリンダ）から、Inconel（登録商標）のようなニッケル合金等から構成される完全に加工された金属製のアネロイド箱まで、適宜の数の波型を備えることができる。このようなアネロイド箱は汎用品の物で良く、抵抗スポット溶接を含む適宜の技術でディスク５４に付けられる。図５に示した絶縁性流体充填構造は、一実施形態では充填ポート２０８経由で充填されてシールされる。一実施形態では絶縁性流体が油から構成される。
【００２３】
図５と図３とのもう一つの違いは、スクリーン２８が、プロセス流体がセンサ５０にアクセスできるようにするための複数の貫通孔２０２を備えた、より堅牢なキャップ２００に交換されていることである。しかしながら、スクリーン２８およびキャップ２００は、プロセス流体がセンサ５０に作用できるにもかかわらずセンサを機械的なダメージから保護するために用いられる単純な防御構造の例に過ぎない。同様の機能を発揮する他の好ましい構造が本発明の実施形態では利用することができる。
【００２４】
図６は、本発明の実施形態に係る図５の圧力検知プローブの製造方法を示したフロー図である。方法２５０は、単結晶材料で形成される静電容量ベースの圧力センサがディスク（例えばディスク５４）にロウ付けされるブロック２５２から始まり、次いで、ブロック２５４において、例えばMIケーブル１８のようなMIケーブルがセンサと電気的に結合される。いくつかの実施形態では、このような電気的結合は、MIケーブルのロッド／導電体およびセンサ５０の各パッド／トレースにそれぞれ溶接される小さくて柔軟性のあるワイヤの供給を含む。加えて、ひとたび電気的な接続が確保されると、スリーブが供給され、パウダ状のドライ無機物で充填されることが好ましい。ブロック２５６では、スリーブが適所へ挿入され、センサ取付ディスのみならずMIケーブル１８の金属製シースにも溶接される。ブロック２５８では、アネロイド箱アセンブリがセンサ取付ディスクに溶接される。アネロイド箱アセンブリは次いで、シリコーンオイルのような十分に非圧縮性の絶縁性流体で満たされ、参照番号２６０の部分でシールされる。次いで、ブロック２６２では、孔開きキャップ（例えば、孔開きキャップ２０２）がセンサ取付ディスクに溶接される。その結果として生じる絶縁流体充填構造は、図３に関して説明した実施形態に対して更なるプロセスバリアを提供する。さらに、絶縁流体の熱容量が与えられるので、センサ５０内に露出するいかなる温度センサも、図３に関して説明した実施例と比べて熱過渡に対する減衰応答特性を有するものと思われる。
【００２５】
ここまで、本発明の好ましい実施形態に関して記述されたが、当業者には、本発明の精神及び範囲から逸脱することなく、形式及び細部に変更を加え得ることを理解されたい。例えば、本発明の実施形態ではMIケーブルに一つのセンサ（圧力検知構造、およびオプションで温度検知構造を有する）が結合されるものとして説明したが、一つの圧力／温度センサに必要とされるよりも十分に多くの芯／ロッドを備えた市販可能なMIケーブルが得られることは注目に値する。したがって、本発明の実施形態も、MIケーブルの遠位端又はその近傍で複数の圧力／温度センサを提供することを含む。そのような実施形態が提供されるときでも、直径が１/２インチ以下の単一のMIケーブルで必要な電気接続を提供できるであろう。ここに示されるフランジは、無機絶縁されたケーブルを、プロセス流体を流すプロセス流体ベセルと結合する技術の一例である。例示したプロセス流体ベゼルは容器またはパイプを含む。１つの構成例では、無機絶縁ケーブルの近位端はプロセス流体ベゼルの開口部に直接シールされる。複数種の絶縁性ドライ無機物が、装置の異なる場所で使われるかもしれない。
【符号の説明】
【００２６】
１０…プロセス圧力計測システム，１２…電子回路区画，１４…フランジ，１５…ボルト孔，１６…圧力センサアセンブリ，１８…MIケーブル，２２…近位端，２４…遠位端，２６…スリーブ，２８…金属スクリーン，３０…金属製シース，３４，３６…金属製ロッド，４２，４４…内部接続部材，５０圧力センサ…，MgO充填物５２…，５４…ディスク，２０４…絶縁流体封止システム
【図１】
2016532083.tif 000003
【図２】
2016532083.tif 000004
【図３】
2016532083.tif 000005
【図５】
2016532083.tif 000006
【図４】
2016532083.tif 000007
【図６】
2016532083.tif 000008
【国際調査報告】
2016532083.tif 000009
2016532083.tif 000010
2016532083.tif 000011